(57)【特許請求の範囲】
【請求項１】
複数の異なる入射角度から油入機器を照らすように配置され、それぞれの前記入射角度で順番に点灯及び消灯を行う、油を励起する波長を含む紫外光源と、
前記点灯の際に前記紫外光源からの紫外光により照射された油入機器を撮影する撮像機と、
前記撮像機により撮影された画像それぞれを記録する記録部と、
前記画像それぞれを比較し、常に発光する位置が変わらない部位を漏油部位と判定し、発光する場合と発光しない場合がある部位をノイズ光部位と判定するために、前記画像それぞれを表示する表示部を有する漏油検出装置。
【請求項２】
請求項１において、
前記油を励起する波長を含む紫外光源は、発光ピークが２６５ｎｍ±５０ｎｍ、２７５ｎｍ±５０ｎｍ、３４５ｎｍ±５０ｎｍ、３６５ｎｍ±５０ｎｍのいずれかであることを特徴とする漏油検出装置。
【請求項３】
請求項１において、
さらに、前記漏油部位と前記ノイズ光部位の光量を定量的に判定するための画像処理部を有することを特徴とする漏油検出方装置。
【請求項４】
請求項３において、
前記画像処理部の前記光量を定量的に判定するために、輝度による閾値の判定機能を有することを特徴とする漏油検出装置。
【請求項５】
請求項４において、
前記判定機能は予め漏油のない状態での前記光量をバックデータとして有することを特徴とする漏油検出装置。
【請求項６】
請求項１において、
前記紫外光源は移動手段を有することを特徴とする漏油検出装置。
【請求項７】
請求項１において、
さらに、前記画像それぞれを位置補正する位置補正手段を有することを特徴とする漏油検出装置。
【請求項８】
複数の異なる入射角度から油入機器を照らすように、油を励起する波長を含む紫外光源を配置し、
前記紫外光源を前記それぞれの入射角度で順番に点灯及び消灯し、
前記点灯した際に前記紫外光源からの紫外光により照射された油入機器をそれぞれ撮影し、
前記撮影した画像それぞれを比較し、常に発光する位置が変わらない部位を漏油部位と判定し、発光する場合と発光しない場合がある部位をノイズ光部位と判定する漏油検出方法。
【請求項９】
請求項８において、
前記油を励起する波長を含む紫外光源は、発光ピークが２６５ｎｍ±５０ｎｍ、２７５ｎｍ±５０ｎｍ、３４５ｎｍ±５０ｎｍ、３６５ｎｍ±５０ｎｍのいずれかであることを特徴とする漏油検出方法。
【発明の詳細な説明】
【技術分野】
【０００１】
本発明は、変圧器、コンデンサ、ＧＩＳの油圧操作器、整流器などの油入機器の漏油検出方法及び装置に関する。
【背景技術】
【０００２】
従来から、貯油タンクや変圧器等では、劣化あるいは事故等により、油漏れ（漏油）が発生する懸念があった。漏油は環境汚染及び災害につながる可能性があるため、劣化の初期段階における微量な漏油を検出する技術が求められてきた。微量な漏油を検出する従来技術としては、漏油の吸収波長を含む紫外光を外部より照射した際に、漏油から放出される蛍光（自発光）を検出するものがある。
【０００３】
一般に当該紫外光の外部照射光源には、ブラックライトが用いられるが、ブラックライトの照射光には、紫外光の他に、紫外光に近い波長の可視光成分が含まれることがある。その結果、光源に含まれる可視光成分の強反射光（ノイズ光）も蛍光と共に検出され、検出の妨げとなる懸念があり、ノイズ除去による検出診断精度の向上が必要であった。
【０００４】
この問題を解決するための従来技術としては特開平０９−３０４２８１（特許文献１）に記載されているように、パルスレーザ光を漏油に照射し、バンドパスフィルタを利用した波長選択素子と、蛍光のみを検出する高速シャッタ機能と映像倍増機能を有するイメージインテンシファイアで蛍光のみを観察することによって、検出精度を向上する方法がある。
【先行技術文献】
【特許文献】
【０００５】
【特許文献１】特開平０９−３０４２８１号公報
【発明の概要】
【発明が解決しようとする課題】
【０００６】
しかしながら、特許文献１に記載の技術では、検出器の構造が複雑化する懸念や、油の種別毎に、バンドパスフィルタを取りかえる必要があること等の問題があった。また、精密機器となるため、現地に常時設置した場合には、機器の管理等に労力を注ぐ必要があった。
【課題を解決するための手段】
【０００７】
上記課題を解決するために、本発明に係る漏油検出装置は、複数の異なる入射角度から油入機器を照らすように配置され、それぞれの前記入射角度で順番に点灯及び消灯を行う、油を励起する波長を含む紫外光源と、前記点灯の際に前記紫外光源からの紫外光により照射された油入機器を撮影する撮像機と、前記撮像機により撮影された画像それぞれを記録する記録部と、前記画像それぞれを比較し、常に発光する位置が変わらない部位を漏油部位と判定し、発光する場合と発光しない場合がある部位をノイズ光部位と判定するために、前記画像それぞれを表示する表示部を有することを特徴とする。
【発明の効果】
【０００８】
本発明によれば、装置を複雑化することなく、ノイズ光の影響を除去した検出精度の高い漏油検出方法とその装置を実現できる。
【図面の簡単な説明】
【０００９】
【図１】本発明による漏油検出装置の第１の実施形態を示す図である。
【図２】第１の実施形態の漏油検出動作を説明するフローチャートである。
【図３】第１の実施形態での第一の紫外光源を照射した際に得られる漏油とノイズ光を含む撮像の模式図である。
【図４】第１の実施形態での第二の紫外光源を照射した際に得られる漏油とノイズ光を含む撮像の模式図である
【図５】本発明による漏油検出方法および装置の第２の実施形態を示す図である。
【図６】第２の実施形態の漏油検出動作を説明するフローチャートである。
【図７】本発明による漏油検出方法および装置の第３の実施形態を示す図である。
【図８】第３の実施形態の漏油検出動作を説明するフローチャートである。
【図９】本発明による漏油検出方法および装置の第４の実施形態を示す図である。
【図１０】第４の実施形態の漏油検出動作を説明するフローチャートである。
【図１１】本発明による漏油検出方法および装置の第５の実施形態を示す図である。
【図１２】第５の実施形態の漏油検出動作を説明するフローチャートである。
【図１３】本発明による漏油検出方法および装置の第６の実施形態であり、撮影された画像を示す模式図である。
【図１４】本発明による漏油検出方法および装置の第６の実施形態であり、予め設定した時間間隔の後で撮影された画像を示す模式図である。
【図１５】第６の実施形態の漏油検出動作を説明するフローチャートである。
【図１６】本発明による漏油検出方法および装置の第７の実施形態を示す図である。
【図１７】図１６の上視図である。
【発明を実施するための形態】
【００１０】
以下、本発明の漏油検出方法と装置に関する実施の形態を、図面図１〜図１７に基づき説明する。なお、本明細書に記載するこの実施の形態が本発明を限定するものではない。以降の実施例では変圧器で一般的に使用される絶縁油（鉱油、植物エステル油等）を例にとり、漏油検出方法と装置について説明するが、油入機器全般の漏油検出方法と装置に関しても本発明は広く適用可能であり、変圧器に限定されるものではない。例えば、燃料油を保存するタンクやパイプライン等の漏油検出においても本発明を適用することが可能である。
【実施例１】
【００１１】
図１は、本発明による漏油検出方法と装置を具体的に示す第１の実施形態を示す図である。
【００１２】
漏油検出装置１００は第一の紫外光源１ａと、第二の紫外光源１ｂと、固定配置された撮像機２と、第一の紫外光源１ａと第二の紫外光源１ｂ、および撮像機２の動作を制御する制御部３と、撮影された画像を記録する記録部４と、記録部４に格納された画像を表示する表示部５とを備えている。
【００１３】
ここで、第一の紫外光源１ａおよび第二の紫外光源１ｂとしては油の吸収波長を含む紫外光源を用いる。具体的には、発光ピークがそれぞれ２６５ｎｍ±５０ｎｍ、２７５ｎｍ±５０ｎｍ、３４５ｎｍ±５０ｎｍ、３６５ｎｍ±５０ｎｍのブラックライトを用いることが可能である。この中でも、とりわけ、発光ピークが３６５ｎｍ±５０ｎｍのブラックライトを用いるのが好ましい。
【００１４】
撮像機２は画像データを外部出力できる、例えば可視光を撮影するデジタルカメラ等の汎用的なものであっても良い。第一の紫外光源１ａと第二の紫外光源１ｂは撮像機２を挟んで配置するのが望ましい。
【００１５】
漏油１１は第一の紫外光源１ａと第二の紫外光源１ｂからの紫外光成分７ａ又は７ｂが照射されると、蛍光９を放出する。蛍光９は可視光であるため、可視光用の撮像機２で撮影することができる。
【００１６】
一般に、紫外光源であるブラックライトは紫外光成分の他に可視光成分を含有するため、当該可視光が被撮像物１３の表面で反射される。被撮像物１３の表面状態により、反射光は拡散反射光と鏡面反射光に分けられる。反射光は可視光のため、可視光用の撮像機２で撮影されることになる。
【００１７】
拡散反射光のみが撮影される場合には、撮影された可視光の強度は一般に蛍光９の強度より低いため、蛍光９による発光が顕著に現れ、漏油１１の検出の妨げにはなり得ない。しかし、鏡面反射光が生じる場合には、撮像機２の配置位置により、撮影された反射光の強度は蛍光９の強度と同程度となる場合がある。
【００１８】
例えば、第一の紫外光源１ａを被撮像物１３に照射する時には、被撮像物１３の表面部位１２ａに対して、当該第一の紫外光源１ａによる照射光の可視光成分８ａの鏡面反射光１０ａの強度は入射角度θaと反射角度θa’が等しくなった場合に最大となる。つまり、鏡面反射光１０ａの入射方向に撮像機２が位置する場合には、被撮像物１３の表面部位１２ａから高強度の可視光が撮影されることになる。その強度は蛍光９の強度と同程度となり、漏油を検出することが困難になってしまう。以下、このように撮像機２に映り込む紫外光源の可視光成分の鏡面反射光をノイズ光として記述する。例えば、鏡面反射光１０ａはノイズ光１０ａと記述する。
【００１９】
以上で説明したように、例えば、第一の紫外光源１ａと撮像機２を用いて撮影された画像においては、被撮像物１３の表面部位１２ａがノイズ光１０ａを発する位置となる。
【００２０】
同じように、第二の紫外光源１ｂを被撮像物１３に照射する場合には、当該照射光の紫外光成分７ｂにより、蛍光９が放出されると共に、可視光成分８ｂによって被撮像物１３の表面部位１２ｂからは、ノイズ光１０ｂが発せされる。ここで、入射角度θbと反射角度θb’は等しい関係にある。
【００２１】
なお、図１では、説明を分かりやすくするために、紫外光源１ａおよび１ｂから照射される紫外光成分７ａおよび７ｂと、鏡面反射を発する可視光成分８ａおよび８ｂのみを照射光として示しているが、当該紫外光源１ａおよび１ｂからは当然、被撮像物１３の全域に亘って照射されている。しかしながら、当該紫外光成分７ａおよび７ｂと可視光成分８ａおよび８ｂから生じる蛍光９と鏡面反射によるノイズ光１０ａおよび１０ｂ以外は、拡散反射光となり、撮像機２に高強度の発光画像を形成するものではない。
【００２２】
ここで、撮像機２が固定されていること、および蛍光９が自発光であるため、第一の紫外光源１ａと第二の紫外光源１ｂの配置位置、および被撮像物１３への照射角度によらず、撮像機２で撮影した画像上の漏油１１による蛍光９の発光位置は変わらない。
【００２３】
したがって、第一の紫外光源１ａのみを照射する場合に撮影された画像と、第二の紫外光源１ｂのみを照射する場合に撮影された画像を比較することにより、画像上で常に同じ位置に発光が観測される部位（ＡＮＤ条件）を漏油１１の位置として、また、ぞれぞれの画像で異なる位置に発光が観測される位置（ＯＲ条件）をノイズ光発生位置として検出および識別できる。
【００２４】
以下、図１、図２、図３、図４を用いて本実施形態の漏油検出装置の動作を詳細に説明する。
【００２５】
先ず、ＳＴＥＰ1では、第一の紫外光源１ａを被撮像物１３に照射する。当該照射光の紫外光成分７ａが漏油１１に照射されると、図１、３に示すように漏油１１は蛍光９を放出し撮像機２に映り込む。また、同時に、被撮像物１３上の表面部位１２ａからのノイズ光１０ａも撮像機２に映り込む。
【００２６】
ＳＴＥＰ２では、撮像機２で撮影し、且つ得られた画像Ａを記録部に保存する。画像Ａでの可視光の強度が強い部位は蛍光９の部位（漏油１１の部位）と表面部位１２ａである。
【００２７】
ＳＴＥＰ３では、当該光源１ａを消灯する。
【００２８】
ＳＴＥＰ４では、第ニの紫外光源１ｂを被撮像物１３に照射する。当該照射光の紫外光成分７ｂが漏油１１に照射されると、図１、４に示すように漏油１１は蛍光９を放出し撮像機２に映り込む。また同時に、被撮像物１３上の表面部位１２ｂからのノイズ光１０ｂも撮像機２に映り込む。
【００２９】
ＳＴＥＰ５では、撮像機２で撮影し、且つ得られた画像Ｂを記録部に保存する。画像Ｂでの可視光の強度が強い部位は蛍光９の部位（漏油１１の部位）と表面部位１２ｂである。
【００３０】
ＳＴＥＰ６では、当該光源１ｂを消灯する。
【００３１】
ＳＴＥＰ７では、ＳＴＥＰ２とＳＴＥＰ５で撮影した画像Ａ、およびＢを表示部５に同時に表示する。蛍光９が生じる漏油１１の部位は何れの画像においても同じ場所に発光が現れるので、漏油と判定する（ＡＮＤ条件）。一方、表面部位１２ａと表面部位１２ｂは画像ごとに異なる位置で発光するため、オペレーターが発光の様子を表示器で表示して目視により確認し、ノイズ光発生部位と判定する（ＯＲ条件）。このように、オペレーターの技量によらず、漏油１１を簡単に視覚的に検出および識別できる。
【実施例２】
【００３２】
図５は、本発明による漏油検出方法および装置の第２の実施形態を示す図である。ここでは実施例１と同一の要素には同一の符号を付して説明を省略し、異なる部分についてのみ説明する。画像処理部６では、記録部４で記録した画像を呼び出して、漏油１１を自動判定する。判定した結果は表示部５に表示する。
【００３３】
図６は、実施例２の漏油検出方法および装置で、漏油１１を自動検出する際のフローチャートである。なお、ＳＴＥＰ１からＳＴＥＰ６の動作は、第１の実施形態と同じである。
【００３４】
ＳＴＥＰ７では、撮影された画像Ａを呼び出して、各ピクセルのＲ、Ｇ、Ｂ値を抽出し、輝度Ｙnを計算する。Ｙnの計算式としては、例えば一般的に知られている
Ｙn＝０．２９９Ｒ＋０．５８７Ｇ＋０．１１４Ｂ  （１）
などがある。ここで、ｎはＳＴＥＰ７ではｎ＝１、後述するＳＴＥＰ８ではｎ＝２として区別する。
【００３５】
画像Ａの輝度Ｙ1と、画像処理部６に予め設定された漏油１１と判定する輝度の閾値とを比較し、当該閾値以上の部位を記録する。
【００３６】
ＳＴＥＰ８では、式（１）を利用して、画像Ｂの各ピクセルの輝度を算出する。次にＳＴＥＰ７と同様に画像処理部６に予め設定された漏油１１と判定する輝度の閾値とを比較し、当該閾値以上の部位を記録する。
【００３７】
なお、画像Ａおよび画像Ｂに対するそれぞれの輝度の閾値は、変圧器の新規据付時などの漏油１１のない状態と、人為的に油を付着させた状態に対して、第一の紫外光源１ａ、および第二の紫外光源１ｂを用いて予め測定、評価し、バックデータとして画像処理部６に設定しておけば良い。
【００３８】
ＳＴＥＰ９では、画像Ａと画像Ｂのそれぞれの輝度の閾値以上の部位を比較する。画像Ａと画像Ｂにおいて、両方の画像で輝度Ｙ1、およびＹ2がそれぞれの輝度の閾値以上の部位が一致すれば漏油１１と判定する。画像ごとに輝度の閾値以上の部位が異なる部位をノイズ光１０ａおよび１０ｂが発せられる部位と判定する。
【００３９】
上記の通り、本実施例では、輝度の閾値を利用することで、漏油の自動判定と検出精度の向上を同時に行うことが可能となる。
【実施例３】
【００４０】
図７は、本発明による漏油検出方法および装置の第３の実施形態を示す図である。制御部３と、記録部４と、表示部５は前記実施例１および実施例２と同じであり、また、画像処理部６は前記実施例２と同じであるため省略する。
【００４１】
実施例１と２では第一の紫外光源１ａと第二の紫外光源１ｂを配置することで、蛍光９とノイズ光１０ａおよび１０ｂを発する部位を検出・識別するが、本実施例では第一の紫外光源１ａのみを配置し、第一の紫外光源１ａを変圧器周辺に配置した光源移動手段によって移動させて、実施例１および２で説明した第二の紫外光源１ｂの配置位置へ移動する。それ以外の部分は実施例１および２と同じである。なお、光源移動手段としては、レールやロボットアーム等が好適であるが、この限りではない。
【００４２】
図８は、実施例３での漏油検出方法および装置で、漏油を自動検出する際のフローチャートである。ここでは、図６と対比して、本実施例の形態での追加項目について説明する。
【００４３】
図８のＳＴＥＰ４以外の部分は実施例２と同じである。図８のＳＴＥＰ４では、図８のＳＴＥＰ３で画像Ａの撮影が完了した後に、第一の紫外光源１ａを上述した方法で移動する。
【００４４】
なお、ここでは一例として実施例３のフローチャートを用いて示したが、図２に示す実施例１のフローチャートでは、図２のＳＴＥＰ３とＳＴＥＰ４の間に本実施例の図８に示すＳＴＥＰ４を追加して紫外光源を一台とすれば良い。
【実施例４】
【００４５】
図９は、本発明による漏油検出方法および装置の第４の実施形態を示す図である。制御部３と、記録部４と、表示部５は実施例１および実施例２と同じであり、また、画像処理部６は実施例２と同じであるため省略する。ここでは上記実施例と同一の構成要素には同一の符号を付して説明を省略し、異なる部分についてのみ説明する。
【００４６】
本実施例では、紫外光源１ｃのみを配置し、また撮像機２ａと２ｂを配置する。被撮像物１３の表面部位１２ｃに対して、紫外光源１ｃの照射光の可視光成分８ｃによるノイズ光１０ｃは撮像機２ａに映り込むが、撮像機２ｂに映り込まない。同じように、表面部位１２ｄに対して、可視光成分８ｃによるノイズ光１０ｃは撮像機２ａに映り込まないが、撮像機２ｂに映り込む。
【００４７】
図１０は実施例４における検出方法および装置で漏油１１を自動検出する際のフローチャートである。
【００４８】
ＳＴＥＰ1では、紫外光源１ｃを被撮像物１３に照射する。
【００４９】
ＳＴＥＰ２では、撮像機２ａで撮影し、且つ得られた画像Ａ1を記録部４に保存する。画像Ａ1において、高強度な可視光を示す部位は漏油１１の部位と表面部位１２ｃとなる。
【００５０】
ＳＴＥＰ３では、撮像機２ｂで撮影し、且つ得られた画像Ｂ1を記録部４に保存する。画像Ｂ1において、高強度な可視光を示す部位は漏油１１の部位と表面部位１２ｄとなる。
【００５１】
ＳＴＥＰ４では、紫外光源１ｃを消灯する。
【００５２】
ＳＴＥＰ５では、画像Ａ1とＢ1を記録部４から読み出して、画像処理部６で画像処理を行う。撮像機２ａと２ｂの二台が異なる場所から被撮像物１３を撮影するので、被撮像物１３の位置が画像Ａ1とＢ1で同じ位置となるように画像の位置補正を行う。
【００５３】
なお、画像位置を簡単に補正できるように被撮像物１３の予め特徴のある複数のスポットを目印として、補正係数を求めておくなどしておけば好適である。また、撮像機２ａと撮像機２ｂは被撮像物１３の表面から同じ距離、且つ被撮像物１３の表面と平行に配置すれば、より簡単に位置補正が可能となる。つまり、このように配置すれば、画像の拡大や縮小などの複数の補正が不要となる。
【００５４】
画像処理部６に画像Ｂ1を補正した画像Ｂ1’および画像Ａ1を保存する。
【００５５】
ＳＴＥＰ６からＳＴＥＰ８では、Ａ1とＢ1’を利用して、漏油の自動判定を行う。自動判定方法は実施例２と同じであるため説明を省略する。
【実施例５】
【００５６】
図１１は、本発明による漏油検出方法および装置の第５の実施形態を示す図である。制御部３と、記録部４と、表示部５は実施例１および実施例２と同じであり、また画像処理部６は前記実施例２と同じであるため省略する。ここでは実施例４と同一の構成要素には同一の符号を付して説明を省略し、異なる部分についてのみ説明する。
【００５７】
実施例４では撮像機２ａと２ｂを設置するが、本実施例では、撮像機は２ａのみ設置する。撮像機２ａを変圧器周辺に配置した撮像機２ａの移動手段によって移動させて実施例４の撮像機２ｂの設置場所へ移動する。なお、撮像機の移動手段としては、実施例３と同様にレールやロボットアームが好適であるが、この限りではない。
【００５８】
図１２は、実施例５における漏油検出方法および装置で漏油１１を自動検出する際のフローチャートである。ＳＴＥＰ３の以外の部分は実施例４と同じであるため説明を省略する。ＳＴＥＰ３において、ＳＴＥＰ２で画像Ａ1の撮影が完了した後に、撮像機２ａを上述した方法で移動する。
【実施例６】
【００５９】
本実施例は変圧器の側面に付着した油を検出する時に、固定した第一の紫外光源１ａと撮像機２を利用して、予め設定した時間間隔で被撮像物１３を撮影し、得られた画像に対して、漏油１１の形状の変化を検出し漏油１１とノイズ光１０ａを発する部位を識別する手法である。図１３および図１４は、予め設定した時間間隔で撮影された二枚の画像を示す模式図である。
【００６０】
図１３での被撮像物１３に対する高強度の可視光が撮影された部位は、部位１２ｅ（漏油部位とする）と部位１２ｆ（ノイズ光が生じる部位とする）である。漏油１１は重力の影響により、時間の経過と共に形状が変化する。図１４は予め設定した時間間隔を経て撮影された被撮像物１３の画像の模式図である。漏油１１は機器の側面を伝って下向きに流れるため、破線で示すように形状が変化する。一方、部位１２ｆはノイズ光１０ａが生じる部位であるため、時間の変化によらず、形状に変化はない。これらの画像を比較することにより、発光形状が変化しない部位１２ｆはノイズ光１０ａを発する部位として、また、発光形状が変化する部位は漏油１１の部位として検出・識別できる。
【００６１】
図１５は実施例５における検出方法および装置で漏油を自動検出する際のフローチャートである。  ＳＴＥＰ1では、第一の紫外光源１ａを被撮像物１３に照射する。
【００６２】
ＳＴＥＰ２では、撮像機２で撮影し、且つ得られた画像Ａ2を記録部４に保存する。画像Ａ2で、被撮像物１３の表面に高強度の可視光が撮影される部位は、漏油１１の表面部位１２ｅと表面部位１２ｆである。
【００６３】
ＳＴＥＰ３では、予め設定した時間間隔をおいて撮像機２で再度撮影し、得られた画像Ｂ2を記録部４に保存する。画像Ｂ2で、高強度の可視光が撮影される部位は、漏油１１の表面部位１２ｅと表面部位１２ｆである。
【００６４】
ＳＴＥＰ４では、第一の紫外光源１ａを消灯する。ＳＴＥＰ５とＳＴＥＰ６では、第二の実施形態と同じであるため説明は省略する。
【００６５】
ＳＴＥＰ７では、画像Ａ2とＢ2の輝度の閾値以上の部分を比較する。Ａ2と比べて、Ｂ2の閾値以上の部位が増加し、且つ当該部位の形状に変化が生じた場合には漏油１１と判定する。また、変化がない場合にはノイズ光１０ａを発する部位と判定する。
【実施例７】
【００６６】
本実施例は、図１６に示すブッシング１４、タンク１５、ラジエータ１６、タンク１５とラジエータ１６を繋ぐ上部配管１７ａと下部配管１７ｂ、および上部配管の接続部１８ａと下部配管の接続部１８ｂを有する、一般的に電力設備に用いられる、油入変圧器を例にとり、ラジエータ１５と下部配管の接続部１８ｂの漏油１１を検出する方法及び装置について示す。
【００６７】
油入変圧器はその名の通り、ブッシング１４、タンク１５、ラジエータ１６、上部配管１７ａと下部配管１７ｂが絶縁油で満たされた構造であり、上・下部配管の接続部１８ａおよび１８ｂは一般にパッキンを介してボルトとナットで固定されている。
【００６８】
図１６は、第一の紫外光源１ａ、第二の紫外光源１ｂと撮像機２を上記変圧器の周辺に配置した状態での側面図である。
【００６９】
図１７は図１６の上視図である。第一の紫外光源１ａと撮像機２はラジエータ１６の側面から離れた場所に配置する。また、第二の紫外光源１ｂはラジエータ１６の正面から離れた場所に配置する。
【００７０】
第一の紫外光源１ａ、第二の紫外光源１ｂおよび撮像機２はラジエータ１６の底面高さより低く、且つラジエータ１６の下部と、下部配管の接続部１８ｂの底部を照射可能な位置および高さに設置する。
【００７１】
以上の配置によれば、紫外光源１ａ、１ｂ二台と撮像機２の一台の構成で、第一の紫外光源１ａと第二の紫外光源１ｂが照射されるラジエータ１６と下部配管の接続部１８ｂの部位に対して、漏油１１を検出することが可能である。漏油１１の検出方法および装置の詳細については、実施例２で説明した方法と同じであるため、説明を省略する
また発明者が鋭意検討した結果、漏油検出対象機器の周辺環境の照度が５０ｌｘ以下の場合に漏油の検出感度を高めることができた。そこで、変圧器の影や日没後、特に夜間時を利用して漏油を検出すれば、検出感度を高めることができる。
【００７２】
さらに、変電所内の監視カメラを撮像機２として利用したり、漏油検出対象機器が設置されている構内の、例えば監視用の赤外センサーなどに給電している既設電源を利用することによって、当該検出装置の導入費用を低減できる。なお、当該検出装置の電源に関しては、この限りではなく、バッテリーなどを利用しても良い。
【符号の説明】
【００７３】
１００・・・漏油検出装置
１ａ・・・第一の紫外光源
１ｂ・・・第二の紫外光源
１ｃ・・・紫外光源
２・・・撮像機
２ａ・・・撮像機
２ｂ・・・撮像機
３・・・制御部
４・・・記録部
５・・・表示部
６・・・画像処理部
７ａ・・・漏油に照射される第一の紫外光源１ａの照射光の紫外光成分
７ｂ・・・漏油に照射される第二の紫外光源１ｂの照射光の紫外光成分
８ａ・・・第一の紫外光源１ａによる照射光の可視光成分
８ｂ・・・第二の紫外光源１ｂによる照射光の可視光成分
８ｃ・・・紫外光源１ｃによる照射光の可視光成分
９・・・蛍光
１０ａ・・・第一の紫外光源１ａによる照射光の可視光成分の鏡面反射光（ノイズ光）
１０ｂ・・・第二の紫外光源１ｂによる照射光の可視光成分の鏡面反射光（ノイズ光）
１０ｃ・・・紫外光源１ｃによる照射光の可視光成分の鏡面反射光（ノイズ光）
１１・・・漏油
１２ａ・・・被撮像物１３の表面部位
１２ｂ・・・被撮像物１３の表面部位
１２ｃ・・・被撮像物１３の表面部位
１２ｄ・・・被撮像物１３の表面部位
１２ｅ・・・被撮像物１３の表面部位
１２ｆ・・・被撮像物１３の表面部位
１３・・・被撮像物
１４・・・変圧器ブッシング
１５・・・変圧器タンク
１６・・・変圧器ラジエータ
１７ａ・・・変圧器タンクとラジエータを繋ぐ上部配管
１７ｂ・・・変圧器タンクとラジエータを繋ぐ下部配管
１８ａ・・・上部配管の接続部
１８ｂ・・・下部配管の接続部
【図１】
0006411856.tif 000002
【図２】
0006411856.tif 000003
【図３】
0006411856.tif 000004
【図４】
0006411856.tif 000005
【図５】
0006411856.tif 000006
【図６】
0006411856.tif 000007
【図７】
0006411856.tif 000008
【図８】
0006411856.tif 000009
【図９】
0006411856.tif 000010
【図１０】
0006411856.tif 000011
【図１１】
0006411856.tif 000012
【図１２】
0006411856.tif 000013
【図１３】
0006411856.tif 000014
【図１４】
0006411856.tif 000015
【図１５】
0006411856.tif 000016
【図１６】
0006411856.tif 000017
【図１７】
0006411856.tif 000018